(57)【要約】【課題】本発明は、収納時には収納容積をあまり必要とせず、どのような種類の衣服であっても、干す際に、後身と前身の間に十分な空間を形成でき、しわをできにくくしつつ、乾燥を速める衣服掛けを提供する。【解決手段】本発明は、底辺部材４と底辺部材４に接続された一対の腕部材３によりフレーム構成を有するハンガー本体５と、底辺部材４に回動可能に設けられた複数の拡張部６、７を備え、複数の拡張部６、７のそれぞれは、相互に非接触であり、それぞれが独立して回動可能である。結果として吊るされた衣服の前身と後身の間に十分な空間を形成でき、洗濯物の乾きをよくしたり、衣服の痛みを防止できたりする。【選択図】図１
2008036072.tif 000002
【特許請求の範囲】
【請求項１】
底辺部材と前記底辺部材に接続された一対の腕部材によりフレーム構成を有するハンガー本体と、
前記底辺部材に回動可能に設けられた複数の拡張部を備え、
前記複数の拡張部のそれぞれは、相互に非接触であり、それぞれが独立して回動可能であることを特徴とする衣服掛け。
【請求項２】
前記複数の拡張部のそれぞれは、前記底辺部材の形成する仮想直線に対して交差角を有するように回動することを特徴とする請求項１記載の衣服掛け。
【請求項３】
前記複数の拡張部のそれぞれは、その両端が鉤状に屈曲していることを特徴とする請求項１から２のいずれか記載の衣服掛け。
【請求項４】
前記複数の拡張部のそれぞれは、前記衣服掛けの使用状態における前記底辺部材の下側に設けられたことを特徴とする請求項１から３のいずれか記載の衣服掛け。
【請求項５】
前記複数の拡張部のそれぞれは、前記衣服掛けの使用状態における前記底辺部材の上側に設けられたことを特徴とする請求項１から３のいずれか記載の衣服掛け。
【請求項６】
前記複数の拡張部の少なくとも一つは、前記底辺部材の形成する仮想直線に対して、所定の交差角による交差状態を維持可能である請求項１から５のいずれか記載の衣服掛け。
【請求項７】
前記複数の拡張部の少なくとも一つは、前記底辺部材に対する距離を延伸可能な伸縮部を備えることを特徴とする請求項１から６のいずれか記載の衣服掛け。
【請求項８】
前記複数の拡張部の少なくとも一つは、相互に独立して回動可能な第１回転部材と第２回転部材を有することを特徴とする請求項１から７のいずれか記載の衣服掛け。
【請求項９】
前記腕部材に設けられた第２拡張部を更に備える請求項１から８のいずれか記載の衣服掛け。
【発明の詳細な説明】
【技術分野】
【０００１】
本発明は、衣服掛けを使用して洗濯物を干す場合に、乾きやすくまたしわの残りにくい衣服掛けを提供することを目的とする。
【背景技術】
【０００２】
衣服の洗濯物の乾燥を目的として、ハンガーなどの衣服掛けに洗濯物を吊るして干すことが行われる。
ここで、通常のハンガーは、底辺部材とこれの両端に接続する腕部材とが、略三角形のフレームを構成し、フレームの上部にフックが設けられ、このフレームに洗濯物を吊るして、洗濯物が干される。このとき、略三角形のフレームは、平面を形成するに過ぎないので、洗濯物の前身と後身が張り付いた状態になって、乾くのに時間がかかる問題があった。
このため、吊るした際に、洗濯物の前身と後身が張り付かないようにするハンガーが提案されている（例えば特許文献１、２、３参照）。
しかしながら、特許文献１に記載のハンガーは、その腕部材が腕部材の延伸方向に伸びる構造を有しているだけで、吊るした洗濯物の前身と後身の間に空間を作ることはできない。
特許文献２に記載のハンガーは、ハンガーの底辺部材が、広がりを持つように形成されている。このため、吊るした洗濯物の前身と後身の間を広げることができる。しかしながら、特許文献２に記載のハンガーでは、前身と後身の間は広がるが、前身も後身もハンガー本体の一部に接してしまう。このため、前身と後身の間に空間が形成された場合でも、乾くのに要する時間はあまり短くならない。しかも、弾性部材により、最初から空間が形成されているので、洗濯物を干すとき以外の収納に大きな場所を要する問題もある。
特許文献３に記載のハンガーは、ハンガー本体に平行に設けられた補助ハンガーが、回転してハンガーの底面に立体を形成する。この形成された立体により、吊るされた洗濯物の前身と後身の間に空間を形成し、洗濯物を乾かしやすくする。
しかし、特許文献３に記載のハンガーでは、補助ハンガーがハンガー本体と平行して設けられるために、ハンガー本体の付け根から補助ハンガーが回動する。このため吊るされる洗濯物がＴシャツやニットの場合には、ハンガー本体と補助ハンガーが広がる根元に、洗濯物の襟元が接するので、補助ハンガーを開いたときには、洗濯物の首周りが広がったりゆるくなったりする問題がある。更に、根元から補助ハンガーが開くので、吊るされた洗濯物はほぼ十字形状に広がるだけであり、乾燥を促進させる空間としては不十分である。
加えて、衣服の首元から広げると、着用時に本来は広がる部分ではない首元や襟元に、拡張に起因する圧力が強く加わり、生地を痛める問題もある。
また、根元から補助ハンガーが開く構成であるので、Ｔシャツやニットなどにおいては、広げやすいが、Ｙシャツやブラウスは広げにくく、更にズボンではズボンの股にかかるために、十分に広げやすいとは言いがたい問題がある。
また、特許文献３に開示されているハンガーは、
【特許文献１】特開２００５−３１２８５１号公報
【特許文献２】実用新案登録３１１９４７７号公報
【特許文献３】特開２００４−２７５５６０号公報
【発明の開示】
【発明が解決しようとする課題】
【０００３】
本発明は、収納時には収納容積をあまり必要とせず、どのような種類の衣服であっても、干す際に、後身と前身の間に十分な空間を形成でき、しわをできにくくしつつ、乾燥を速める衣服掛けを提供することを目的とする。
【課題を解決するための手段】
【０００４】
上記の課題を解決するために、本発明は、底辺部材と底辺部材に接続された一対の腕部材によりフレーム構成を有するハンガー本体と、底辺部材に回動可能に設けられた複数の拡張部を備え、複数の拡張部のそれぞれは、相互に非接触であり、それぞれが独立して回動可能である。
【発明の効果】
【０００５】
本発明によれば、吊るされた洗濯物の前身と後身の間に十分な間隔と空間を形成でき、乾燥を速めることができる。また、洗濯物を広げることができるので、しわを残しにくい。
また、洗濯物の襟元はそのままに、胸元程度の位置から空間を広げることができるので、Ｔシャツやニットなどの洗濯物の首周りを不要に広げることがない。
拡張部は、底辺部材に設けられているので、ボタンで前を留めるブラウスやＹシャツなどにおいても、衣服に不必要な負担（首元から広げると、衣服を広げる圧力が生地に負担をかけすぎて、洗濯物を痛める結果となりうる）をかけずにすむ。
また、複数の拡張部が設けられているので、ズボンのように、右足と左足のような前身と後身を広げたい領域が２つある場合でも、それぞれの領域に個別に空間を形成することができる。すなわち、シャツのような上着に加えて、ズボンのような衣服であっても、その乾燥を速めることができる。
また、乾燥が速まることで、洗濯による衣服の痛みを減らすことができる。
また、洗濯物を干さないときには拡張部は底辺部材と平行にして収納することができるので、保管時において場所を占有しないですむ。
更に、拡張部が高さ方向に延伸するので、丈の長い洗濯物であっても、十分に広げることができる。
【発明を実施するための最良の形態】
【０００６】
第１の発明に係る衣服掛けは、底辺部材と底辺部材に接続された一対の腕部材によりフレーム構成を有するハンガー本体と、底辺部材に回動可能に設けられた複数の拡張部を備え、複数の拡張部のそれぞれは、相互に非接触であり、それぞれが独立して回動可能である。
この構成により、洗濯物などの衣服をより短い時間で乾かすことができる。さらに、しわになりにくくし、衣服の痛みも最小限に抑えることができる。
第２の発明に係る衣服掛けでは、複数の拡張部のそれぞれは、底辺部材の形成する仮想直線に対して交差角を有するように回動することを特徴とする。
この構成により、衣服掛けにかけた衣服の前身と後身の間に空間を形成できる。
第３の発明に係る衣服掛けでは、複数の拡張部のそれぞれは、その両端が鉤状に屈曲していることを特徴とする
この構成により、衣服を傷めにくい。
第４の発明に係る衣服掛けでは、複数の拡張部のそれぞれは、衣服掛けの使用状態における底辺部材の下側に設けられたことを特徴とする。
この構成により、使用勝手が高くなる。
第５の発明に係る衣服掛けでは、複数の拡張部のそれぞれは、衣服掛けの使用状態における底辺部材の上側に設けられたことを特徴とする。
この構成により、不使用時の収納性が高まる。
第６の発明に係る衣服掛けでは、複数の拡張部の少なくとも一つは、底辺部材の形成する仮想直線に対して、所定の交差角による交差状態を維持可能である。
この構成により、洗濯物を干したり衣服をかけたりする際に、前身と後身の間の空間を長時間維持できる。乾燥が促進され、衣服の保管時には、衣服への湿気を防止できる。
第７の発明に係る衣服掛けでは、複数の拡張部の少なくとも一つは、底辺部材に対する距離を延伸可能な伸縮部を備えることを特徴とする。
この構成により、丈の長い衣服であっても、その前身と後身との間の空間を十分に確保でき、衣服の裾の部分から、十分に空気や風を送り込むことができる。
第８の発明に係る衣服掛けでは、複数の拡張部の少なくとも一つは、相互に独立して回動可能な第１回転部材と第２回転部材を有することを特徴とする。
この構成により、衣服をより立体的に吊るすことができ、乾燥、保管において、有効である。
第９の発明に係る衣服掛けでは、腕部材に設けられた第２拡張部を更に備える。
この構成により、更なる立体性を確保できる。
以下、図面を用いて実施の形態について説明する。
（実施の形態１）
図１は、本発明の実施の形態１における衣服掛けの側面図である。
（全体構成）
衣服掛け１は、底辺部材４とこれに接続された一対の腕部材３によりフレーム構成を有しているハンガー本体５を備える。更に、ハンガー本体５の上部には物干し竿などに引っ掛けるためのフック２が備えられており、これらの構成要件により、通常市販されており使用されている「ハンガー」と同様の形状、機能を有している。
これに加えて、拡張部６、７が、接続部８を介して底辺部材４に設けられている。接続部８は、回転可能であり、接続部８の回転動作により、拡張部６、７のそれぞれは、底辺部材４に対して回動可能である。すなわち、底辺部材４の有する軸（底辺部材４の形成する仮想直線）に対して、交差角を形成できるように回動可能である。
次に、各部の詳細について説明する。
（ハンガー本体）
ハンガー本体５は、上述の通り、底辺部材４とこれに接続された一対の腕部材３により形成されるフレーム構成を有している。図１においては、ハンガー本体５は、略三角形のフレーム構成を有しているが、略台形であってもよく、腕部材３の端部が、底辺部材４より突出している状態であってもよい。腕部材３が外側に張り出したカーブを有することで、吊るした洗濯物の肩部分に張りを与えることができ、乾燥を促進できる。
底辺部材４と腕部材３は、樹脂、金属、金属を軸として樹脂やビニルを被覆した素材など、種々の素材により形成される。コスト、製造の容易性、取り扱いのしやすさなどから、好ましくは合成樹脂が用いられる。
なお、腕部材３は、拡張部６、７とは別の第２拡張部を備えていることも好適である。
なお、ハンガー本体５に、カギ部２０が設けられ、衣服をかけるときの引っ掛かりとすることも好適である。
（フック）
フック２は、ハンガー本体５の上部に取り付けられ、ハンガー本体５を物干し竿に吊るすことを可能とする。鉤状の形状であればよく、例えばフック２の根元とハンガー本体５とが、回転可能な間接により接続されることで、物干し竿に吊るした際に、洗濯物の方向を簡単に回転させることができる。
なお、フック２とハンガー本体５は、一体で形成されても良く、別体で形成されて、間接を介して接続されてもよい。また、フック２は、ハンガー本体５と同様の素材で形成されればよい。
（拡張部）
拡張部６，７は、底辺部材４に接続部７を介して設けられている。図１では、底辺部材４に二つの拡張部６、７が設けられている。二つの拡張部６、７のそれぞれは、底辺部材４の下側（衣服掛け１の使用状態における下側）に設けられている。なお、拡張部６、７のそれぞれは、底辺部材４の上側に設けられても良く、一方が下側に、他方が上側に設けられても良い。
下側に設けられた場合には、回動動作により、拡張部６，７を広げる作業が容易になるメリットがり、上側に設けられた場合には、余分な出っ張りが少なくなり、収納性が高まる。
また、拡張部６，７は接続部８を視点とした棒状の部材であり、回動により、棒状の部材の先端が描く平面により、衣服掛け１に吊るされた洗濯物の前身と後身を広げ、その内部空間を広げる。
図１においては、二つの拡張部６、７が設けられているので、それぞれの長さは底辺部材４の半分以下に収まる長さであり、拡張部６、７のそれぞれの端部は相互に非接触状態におかれる。このように、拡張部６，７のそれぞれは、底辺部材４の半分以下に収まる長さであって、これらの端部が相互に非接触の状態であることにより、拡張部６，７が不使用時には、底辺部材４と平行に収納される。このため、衣服掛け１を使用しない場合には、余分な容積を必要とせず保管することができるメリットがある。
拡張部６，７は、接続部８を介して、底辺部材４に対して回動可能である。すなわち、ハンガー本体５が形成する二次元の仮想平面を基準に、３次元の仮想空間を形成することができる。拡張部６、７は、ハンガー本体５の底辺部材４の位置で回動するので、衣服掛け１に吊るされた洗濯物がシャツなどの上着であれば、胸元程度の位置から、洗濯物の前身と後身を広げることができる。部材ができる辺部材４の半分以下に収まる長さであり、
拡張部６、７は、接続部８の回転動作により、回動可能である。この回動は、底辺部材４の形成する仮想直線に対して、交差角を有するように回動できる。例えば、底辺部材４の形成する仮想直線に対して、３０度の交差角を有するように回動することもでき、一回点することもできる。更に、回動位置により、その状態を維持することができる（すなわち、一定の交差角の状態で、回動の動作を停止できる）。この場合には、例えば、底辺部材４の形成する仮想直線に対して略垂直の交差角を維持する場合には、拡張部６、７は、底辺部材４と共に、十字形状を形成することができる。このような十字形状を形成することにより、衣服掛け１に吊るされている洗濯物の前身と後身を、もっとも広く広げることができる。
この、回動状態における交差角の維持は、接続部８に設けられたストッパーなどにより実現される。回動のない状態、すなわち、拡張部６，７が底辺部材４と平行状態となる場合も、接続部８の有するストッパーなどで停止でき、拡張部６，７を収納状態にできる。このため、拡張部６、７の有する幅は、底辺部材４の有する幅以下であることが、収納効率や取り扱いの点から好適である。
また、拡張部６と拡張部７は、それぞれ独立に回動することも、連携して回動することも可能である。独立して回動する場合には、拡張部６は、底辺部材４に対して略垂直の状態を維持し、拡張部７は、底辺部材４に対して、３０度程度の交差角を有する状態を維持することができる。
洗濯物を干す場合には、ベランダに沿った物干し竿に干すことが多く、洗濯物はベランダに対して垂直気味に干されることになる。このとき、ベランダの外部から日光が当たるとすると、洗濯物がシャツの場合には、片方の肩に日光が好く当たり、他方の肩は日陰になることになる。このとき、日光が当たる側の拡張部は数十度程度の開きにして、日陰側を略垂直に開くと、日陰側へ日光が当たりやすくなる。広がりが大きい方が一般には乾きやすいので、日光の強い側の拡張は少なくし、日光の弱い側の拡張を大きくすることで、いずれの側も同様の時間で乾かすことができるようになる。
これは、拡張部が複数設けられていることで実現される。
拡張部６、７は、その端部が上向きに鉤状の形状を有していることも好適である。
例えば、拡張部６、７を底辺部材４に対して垂直程度に開いた上で、この拡張部６、７の骨部に靴下などの洗濯物をかけることもできるようになる。このため、衣服掛け１の用途が様々に広がる。
また、拡張部６、７の先端は、衣服の内側に接するので、鉤状に上向きである場合には、衣服を内側から傷めずにすむ。
また、拡張部が複数設けられ、底辺部材４に、一対で設けられることにより、例えばズボンを干す場合には、ズボンの右足には拡張部６が、ズボンの左足には拡張部７が入り込む。このため、ズボンのように、二つの拡張すべき領域を持つ衣服であっても、右足と左足のそれぞれを、拡張部６，７により、個別に広げることができる。
すなわち、ズボンの右足の前身と後身の間に空間を形成することができ、ズボンの左足の前身と後身の間に空間を形成することもできる。
なお、拡張部６，７は、ハンガー本体５と同じ素材で形成されればよい。
また、拡張部は、３以上設けられても良い。
衣服掛け１は、このように複数の拡張部６，７を設けることで、洗濯物を早く乾かすことができる。更に、衣服への負担も少なく、しわのよりにくい乾燥が可能である。
（使用状態の説明）
図２は、本発明の実施の形態１における衣服掛けを上から見た図である。図３、図４は、本発明の実施の形態１における洗濯物をかけた様子を示す説明図である。
図２に示されるとおり、衣服掛け１は、その底辺部材４に設けられた拡張部６、７が回動した状態を作ることができる。この状態において、洗濯物である衣服を衣服掛け１に吊るすと、図３に示されるように、洗濯物の胸元くらいから下が広がる。すなわち、干された洗濯物の前身と後身が離れて広がり、空気や風が、洗濯物である衣服の中に入り込むため、乾きが非常によくなる。
また、胸元くらいから裾にかけて、洗濯物に対して張りが与えられるので、しわができにくい。
拡張部６，７は、所望の交差角を維持できるので、洗濯物を干す場所の広さに応じて、拡張部６、７の交差角を決めればよい。場所が十分にあれば、拡張部６，７を略垂直（子すなわち最大限）に広げて使用することで、乾燥をより速めることができる。場所が狭いのであれば、拡張部６、７の開きを小さくして、洗濯物を十分に干すことも可能である。
なお、ベランダや庭などの洗濯物を干す場所以外に、室内（居住している室内や、ホテルの部屋の中など）に干す場合にも、実施の形態１における衣服掛け１は、有効である。乾きが早くなるので、部屋干しによる異臭が、洗濯物に残りにくくなる。
また、図４に示されるように、ズボンを吊るす場合にも有効である。
ズボンの右足には拡張部６が、左足には拡張部７が入り込み、拡張部６の回動により、ズボンの右足の前身と後身が広げられる。拡張部７の回動により、ズボンの左足の前身と後身が広げられる。
この結果、ズボンのような洗濯物でも、短い時間で乾かすことが可能となる。
以上、実施の形態１における衣服掛けによれば、様々な種類の洗濯物を、短い時間で乾かすことができる上、しわなども残しにくくなる。更に、不使用時には、収納場所をあまりとらない。
（実施の形態２）
次に、実施の形態２について説明する。
図５は、本発明の実施の形態２における衣服掛けの側面図である。
衣服掛け１は、実施の形態１で説明されたものと同様であるが、実施の形態２における衣服掛け１は、拡張部６，７が底辺部材４に対する距離を延伸できる伸縮部９を備えている。
伸縮部９は、例えば接続部８と一体で形成された部材であり、伸縮部９により、拡張部６，７は、底辺部材４との距離を延伸することができる。
例えば、洗濯物が丈の長いワンピースなどでは、胸元から広げたとしても、裾の部分は十分に広がらない。この場合には、裾の下から空気が入り込まず、拡張部６，７による効果が不十分な場合がある。
伸縮部９により、底辺部材４に対して拡張部６、７の位置が下に下がることにより、拡張部６，７が洗濯物に接する部分が、衣服の下になる。この結果、丈の長い洗濯物であっても、その前身と後身を十分に広げることができる。
また、このような使用に対して、拡張部６、７の長さを伸ばせるようにしておくことも好適である。例えば、拡張部６，７に折り畳み可能な腕を設けておき、腕を伸ばすことで、洗濯物を広げることのできる物理的な量を増加することができる。
（実施の形態３）
次に実施の形態３について説明する。
図６は、本発明の実施の形態３における衣服掛けの側面図である。
衣服掛け１は、実施の形態１，２で説明されたものと同様であるが、拡張部６，７の少なくとも一方は、相互に独立して回動可能な、第１回転部材１１と第２回転部材１２を備えている。
第１回転部材１１と第２回転部材１２は、それぞれ別個に回動する。また、第１回転部材１１と第２回転部材１２は、回転軸を基準とした棒状の部材であり、吊るされている洗濯物の内部空間を広げる。
例えば、第１回転部材１１を、底辺部材４の形成する仮想直線に対して、３０度の交差角で固定し、第２回転部材１２を、底辺部材４の形成する仮想直線に対して、１２０度の交差角で固定すると（すなわち、第１回転部材１１と第２回転部材１２は、垂直の関係にある）、略正六角形の頂点を形成することができ、洗濯物をより立体的に干すことができる。
この結果、洗濯物の乾きをよりいっそう促進できる上に、立体に近い乾かし方ができることで、洗濯による衣服の痛みを最小限に抑えることができる。
なお、本発明の衣服掛けは、洗濯物に限らず、通常の衣服の収納においても利用できることは言うまでもなく、その場合には、衣服の風通しを良くすることができ、カビや虫食いも防止でき、衣服の状態を最適に保つこともできる。態をでききるにうえに拡張部６、７は、ハンガー本体５の底面
【産業上の利用可能性】
【０００７】
本発明は、洗濯物をはじめとした衣服の乾燥や収納に用いられるハンガーなど衣服掛けの分野などに好適に利用できる。
【図面の簡単な説明】
【０００８】
【図１】本発明の実施の形態１における衣服掛けの側面図
【図２】本発明の実施の形態１における衣服掛けを上から見た図
【図３】本発明の実施の形態１における洗濯物をかけた様子を示す説明図
【図４】本発明の実施の形態１における洗濯物をかけた様子を示す説明図
【図５】本発明の実施の形態２における衣服掛けの側面図
【図６】本発明の実施の形態３における衣服掛けの側面図
【符号の説明】
【０００９】
１    衣服掛け
２    フック
３    腕部材
４    底辺部材
５    ハンガー本体
６、７    拡張部
８    接続部
９    伸縮部
１１    第１回転部材
１２    第２回転部材
【図１】
2008036072.tif 000003
【図２】
2008036072.tif 000004
【図３】
2008036072.tif 000005
【図４】
2008036072.tif 000006
【図５】
2008036072.tif 000007
【図６】
2008036072.tif 000008